(57)【要約】【課題】消費装置と供給タンクとを分離させている状態での両者の接続箇所からの液体の漏れ出しを確実に阻止する。【解決手段】第一接続部１は、第一筒状体１１と、第一プランジャ体１２と、第一プランジャ体１２の一端に備え付けられた第一弁体１３と、第一プランジャ体１２を第一弁体１３が第一弁孔１０を閉弁する向きに常時付勢する付勢手段１４とを備えている。第二接続部２は、第二筒状体２１と、第二プランジャ体２２と、第二プランジャ体２２の一端に備え付けられた第二弁体２３と、第二プランジャ体２２を第二弁体２３が第二弁孔２０を閉弁する向きに常時付勢する付勢手段２４と、第一筒状体１１を受け入れる受け入れ筒状体２５とを備えている。供給タンクの装填に伴って、第一プランジャ体１２と第二プランジャ体２２とが当接し合って共に付勢手段１４、２４の付勢に抗して移動される。【選択図】      図１
2004338762.tif 000002
【特許請求の範囲】
【請求項１】
水などの液体の供給タンクと、この供給タンクの装填によりこの液体の供給を受けるこの液体の消費装置との接続構造であって、
供給タンクの装填により連通し合う第一接続部と第二接続部とを備えており、
第一接続部は、
第一弁孔と、
この第一弁孔に筒一端側を連通させるようにして外部に突き出すと共に、筒他端を開放させた第一筒状体と、
第一筒状体内にこの第一筒状体の筒軸方向に移動可能な状態で納められると共に、一端を第一弁孔から突き出させた第一プランジャ体と、
この第一プランジャ体の一端に備え付けられた第一弁体と、
この第一プランジャ体を、第一弁体が第一弁孔を閉弁する向きに常時付勢する付勢手段とを備えており、
第二接続部は、
第二弁孔と、
この第二弁孔に筒一端側を連通させるようにして外部に突き出すと共に、筒他端を開放させた第二筒状体と、
第二筒状体内にこの第二筒状体の筒軸方向に移動可能な状態で納められると共に、一端を第二弁孔から突き出させた第二プランジャ体と、
この第二プランジャ体の一端に備え付けられた第二弁体と、
この第二プランジャ体を、第二弁体が第二弁孔を閉弁する向きに常時付勢する付勢手段と、
第二筒状体の筒他端に筒一端を連通させ、かつ、筒他端を開放させると共に、この筒他端から供給タンクの前記装填に伴って第一接続部の第一筒状体を受け入れる受け入れ筒状体とを備えており、
供給タンク及び消費装置のいずれか一方の側に第一接続部が、他方の側に第二接続部が設けられていると共に、
供給タンクの前記装填に伴って、第一接続部の第一プランジャ体と第二接続部の第二プランジャ体とが当接し合って両プランジャ体が共に付勢手段の付勢に抗して移動されるようにしてあることを特徴とする接続構造。
【請求項２】
第一接続部の第一筒状体の外周部に、受け入れ筒状体へのこの第一筒状体の入れ込み状態において、この受け入れ筒状体の内壁面に圧接されるシール部材が備え付けられていることを特徴とする請求項１記載の接続構造。
【請求項３】
第一接続部の第一筒状体の筒他端であって、その外側部に、筒一端側に向けて次第に第一筒状体の外径を太めさせる向きに傾斜したテーパー部が形成してあると共に、
第二接続部の受け入れ筒状体の筒他端であって、その内側部に、筒一端側に向けて次第に受け入れ筒状体の内径を細めさせる向きに傾斜したテーパー部が形成してあることを特徴とする請求項１又は請求項２記載の接続構造。
【請求項４】
第一接続部の第一プランジャ体の他端が、第一筒状体の筒他端より先に突き出さないようにしてあることを特徴とする請求項１から請求項３のいずれか１項に記載の接続構造。
【発明の詳細な説明】
【０００１】
【発明の属する技術分野】
この発明は、水などの液体の供給タンクと、この供給タンクの装填によりこの液体の供給を受けるこの液体の消費装置とを、消費装置側への供給タンクの装填によって、装填された供給タンクの液体が消費装置に供給されるように接続させ合わせる接続構造の改良に関する。
【０００２】
【従来の技術】
水などの液体の供給タンクＴ側に設けられる雄型接続部１００と、この供給タンクＴの装填によりこの液体の供給を受けるこの液体の消費装置Ｍ側に設けられる雌型接続部２００とを、消費装置Ｍ側への供給タンクＴの装填によって、装填された供給タンクＴの液体が消費装置Ｍに供給されるように接続させる構造として、図５に示されるような構成を備えたものがある。
【０００３】
雄型接続部１００は、供給タンクＴの底壁に形成された弁孔１０１と、この弁孔１０１に筒一端を連通させる筒状体１０２と、この弁孔１０１に一端側を挿し入れた状態でこの弁孔１０１の孔軸方向に移動可能な状態で筒状体１０２内に入れ込まれる軸状をなす弁動作部材１０３と、この弁動作部材１０３における弁孔１０１から突き出された一端に止め付けられた弁体１０４と、この弁動作部材１０３を常時閉弁方向に付勢するバネ１０５とから構成されている。かかるバネ１０５により弁動作部材１０３は供給タンクＴの内方から弁体１０４によって弁孔１０１を塞ぎ、このバネ１０５の付勢に抗して移動させられた場合に弁体１０４による弁孔１０１の閉塞状態を解除する。
【０００４】
雌型接続部２００は、雄型接続部１００の筒状体１０２を、供給タンクＴの装填に伴って上方から受け入れる受け入れ部２０１を有している。この受け入れ部２０１はその下部において液体の流路Ｍａに連通されている。また、この受け入れ部２０１の底部には、開弁動作用突起２０２が形成されている。雌型接続部２００に対し上方から雄型接続部１００が入れ込まれると、開弁動作用突起２０２が雄型接続部１００の筒状体１０２内に入り込み弁動作部材１０３に突き当たってこの弁動作部材１０３をバネ１０５の付勢に抗して開弁方向に移動させる。これにより、供給タンクＴと消費装置Ｍ側とが連通される。供給タンクＴを取り外すと、雄型接続部１００の筒状体１０２は雌型接続部２００の受け入れ部２０１から抜き出され、これに伴って弁動作部材１０３はバネ１０５の付勢によって閉弁方向に移動されることから、取り外した供給タンクＴの底部からの液体の漏れ出しは阻止される。
【０００５】
【発明が解決しようとする課題】
しかるに、かかる従来の接続構造にあっては、供給タンクＴを消費装置Ｍ側から取り外した場合の雌型接続部２００側からの液体の漏れ出しを阻止する機構は何ら設けられていない。このため、従来の接続構造にあっては、消費装置Ｍに対し供給タンクＴを上方から装填するスタイルしか取り得なかった。またこのため、特に、雌型接続部２００の受け入れ部２０１に対して流路Ｍａを介して連通されている消費装置Ｍ側の液体の貯留部Ｍｂなどに液体が残存しており、かつ、この残存している液体の液面レベルが雌型接続部２００の開口よりも上方に位置されている場合には、供給タンクＴの取り外しをなすことができなかった。
【０００６】
そこでこの発明は、この種の接続構造において、消費装置と供給タンクとを分離させている状態においては、両者の接続箇所からの液体の漏れ出しを確実に阻止し、また、消費装置に供給タンクを装填させることに伴って両者の接続箇所を通じた液体の移動をワンタッチで適切に確保し得る接続構造を提供することを主たる目的とする。
【０００７】
【課題を解決するための手段】
前記目的を達成するために、請求項１記載の発明にあっては、接続構造が以下の（１）〜（６）の構成を備えたものとした。
（１）水などの液体の供給タンクと、この供給タンクの装填によりこの液体の供給を受けるこの液体の消費装置との接続構造であって、
（２）供給タンクの装填により連通し合う第一接続部と第二接続部とを備えており、
（３）第一接続部は、
第一弁孔と、
この第一弁孔に筒一端側を連通させるようにして外部に突き出すと共に、筒他端を開放させた第一筒状体と、
第一筒状体内にこの第一筒状体の筒軸方向に移動可能な状態で納められると共に、一端を第一弁孔から突き出させた第一プランジャ体と、
この第一プランジャ体の一端に備え付けられた第一弁体と、
この第一プランジャ体を、第一弁体が第一弁孔を閉弁する向きに常時付勢する付勢手段とを備えており、
（４）第二接続部は、
第二弁孔と、
この第二弁孔に筒一端側を連通させるようにして外部に突き出すと共に、筒他端を開放させた第二筒状体と、
第二筒状体内にこの第二筒状体の筒軸方向に移動可能な状態で納められると共に、一端を第二弁孔から突き出させた第二プランジャ体と、
この第二プランジャ体の一端に備え付けられた第二弁体と、
この第二プランジャ体を、第二弁体が第二弁孔を閉弁する向きに常時付勢する付勢手段と、
第二筒状体の筒他端に筒一端を連通させ、かつ、筒他端を開放させると共に、この筒他端から供給タンクの前記装填に伴って第一接続部の第一筒状体を受け入れる受け入れ筒状体とを備えており、
（５）供給タンク及び消費装置のいずれか一方の側に第一接続部が、他方の側に第二接続部が設けられていると共に、
（６）供給タンクの前記装填に伴って、第一接続部の第一プランジャ体と第二接続部の第二プランジャ体とが当接し合って両プランジャ体が共に付勢手段の付勢に抗して移動されるようにしてある。
【０００８】
かかる構成によれば、供給タンクを装填しない状態においては、第一接続部の第一プランジャ体は付勢手段により閉弁する向きに付勢されることから、第一弁体によって第一弁孔は閉じられ、この第一接続部を通じた液体の流出は生じることはない。
【０００９】
また、供給タンクを装填しない状態においては、第二接続部の第二プランジャ体は付勢手段により閉弁する向きに付勢されることから、第二弁体によって第二弁孔は閉じられ、この第二接続部を通じた液体の流出は生じることはない。
【００１０】
すなわち、供給タンクを装填しない限り、供給タンク内の液体の漏れ出しや、消費装置側に残存している液体の漏れ出しなどは生じることがない。
【００１１】
供給タンクを消費装置に装填すると、先ず、第二接続部の受け入れ筒状体内に第一接続部の第一筒状体が入り込む。そして、この後、第一接続部の第一プランジャ体と第二接続部の第二プランジャ体とが受け入れ筒状体内で当接し合って両プランジャ体共に付勢手段の付勢に抗する向き、つまり、開弁する向きに移動される。この両プランジャ体の移動によって、第一接続部の第一弁孔を塞いでいた第一弁体がこの第一弁孔から離れ出すと共に、第二接続部の第二弁孔を塞いでいた第二弁体がこの第二弁孔から離れ出し、両接続部は連通し合わせられる。これにより、供給タンク内の液体が消費装置に供給される状態がワンタッチで作り出される。
【００１２】
装填されている供給タンクを消費装置から取り外すと、第二接続部の受け入れ筒状体内から第一接続部の第一筒状体が抜け出すと共に、第一接続部の第一プランジャ体と第二接続部の第二プランジャ体との当接が解かれ、両プランジャ体共に付勢手段の付勢により閉弁方向に移動される。この両プランジャ体の移動によって、第一接続部の第一弁孔が再び第一弁体により塞がれると共に、第二接続部の第二弁孔が再び第二弁体により塞がれ、接続を解かれた両接続部からの液体の漏れ出しなどが確実に阻止される。
【００１３】
かかる接続構造によれば、第一接続部と第二接続部とが、供給タンクの装填に伴って上下から接続されるようにしている場合のみならず、第一接続部と第二接続部とが、供給タンクの装填に伴って水平方向から接続されるようにしている場合でも、この接続を解いた後の液体の漏れ出しなどを可及的に生じさせることがない。また、第二接続部は、前記受け入れ筒状体を有していることから、第一接続部と第二接続部とを供給タンクの装填に伴って上下から接続されるようにしている場合であって、第二接続部が下方に配される場合には、両接続部の接続を解いた状態において接続されていた両接続部間に残されていた液体を受け入れ筒状体によって外部にできる限り漏れ出させないように保持することができる。
【００１４】
また、請求項２記載の発明にあっては、請求項１記載の接続構造における第一接続部の第一筒状体の外周部に、受け入れ筒状体へのこの第一筒状体の入れ込み状態において、この受け入れ筒状体の内壁面に圧接されるシール部材が備え付けられていることを特徴としている。
【００１５】
かかる構成によれば、第一接続部と第二接続部とを接続させた状態において、受け入れ筒状体の内壁面と第一筒状体の外壁面との間からの液体の漏れ出しを確実に阻止させることができる。
【００１６】
また、請求項３記載の発明にあっては、請求項１又は請求項２記載の接続構造における第一接続部の第一筒状体の筒他端であって、その外側部に、筒一端側に向けて次第に第一筒状体の外径を太めさせる向きに傾斜したテーパー部が形成してあると共に、
第二接続部の受け入れ筒状体の筒他端であって、その内側部に、筒一端側に向けて次第に受け入れ筒状体の内径を細めさせる向きに傾斜したテーパー部が形成してあることを特徴としている。
【００１７】
かかる構成によれば、供給タンクの装填に伴って両テーパー部を案内として、第二接続部の受け入れ筒状体内に第一接続部の第一筒状体をスムースに入れ込ませることができる。
【００１８】
また、請求項４記載の発明にあっては、請求項１から請求項３のいずれか１項に記載の接続構造における第一接続部の第一プランジャ体の他端が、第一筒状体の筒他端より先に突き出さないようにしてあることを特徴としている。
【００１９】
かかる構成によれば、特に、第一接続部を供給タンク側に設けた場合において、消費装置側から取り外した供給タンクの第一接続部を構成する第一プランジャ体が予期せず開弁方向に押圧されるといった事態をできる限り生じさせないようにすることができる。
【００２０】
【発明の実施の形態】
以下、図１ないし図４に基づいて、この発明の典型的な実施の形態について説明する。
【００２１】
なお、ここで図１は、実施の形態にかかる接続構造を構成する第一接続部１と第二接続部２とを分離させた様子を断面の状態で示しており、また、図２は、かかる第一接続部１と第二接続部２とを接続させた様子を断面の状態で示している。また、図３は、第一接続部１を構成する第一プランジャ体１２および第二接続部２を構成する第二プランジャ体２２となるプランジャ体と、第一接続部１を構成する第一弁体１３および第二接続部２を構成する第二弁体２３となる弁体とを分離して示しており、図４は、これらを図３と反対の向きから視て示している。
【００２２】
この実施の形態にかかる接続構造は、水などの液体の供給タンクと、この供給タンクの装填によりこの液体の供給を受けるこの液体の消費装置とを、消費装置側への供給タンクの装填によって、装填された供給タンクの液体が消費装置に供給されるように接続させ合わせるものである。
【００２３】
かかる接続構造は、供給タンクの装填により連通し合う第一接続部１と第二接続部２とを備えている。
【００２４】
そして、前記供給タンク及び消費装置のいずれか一方の側に第一接続部１が、他方の側に第二接続部２が設けられている。
【００２５】
第一接続部１は、
（１）第一弁孔１０と、
（２）この第一弁孔１０に筒一端側を連通させるようにして外部に突き出すと共に、筒他端を開放させた第一筒状体１１と、
（３）第一筒状体１１内にこの第一筒状体１１の筒軸方向に移動可能な状態で納められると共に、一端を第一弁孔１０から突き出させた第一プランジャ体１２と、
（４）この第一プランジャ体１２の一端に備え付けられた第一弁体１３と、
（５）この第一プランジャ体１２を、第一弁体１３が第一弁孔１０を閉弁する向きに常時付勢する付勢手段１４とを備えている。
【００２６】
一方、第二接続部２は、
（１）第二弁孔２０と、
（２）この第二弁孔２０に筒一端側を連通させるようにして外部に突き出すと共に、筒他端を開放させた第二筒状体２１と、
（３）第二筒状体２１内にこの第二筒状体２１の筒軸方向に移動可能な状態で納められると共に、一端を第二弁孔２０から突き出させた第二プランジャ体２２と、
（４）この第二プランジャ体２２の一端に備え付けられた第二弁体２３と、
（５）この第二プランジャ体２２を、第二弁体２３が第二弁孔２０を閉弁する向きに常時付勢する付勢手段２４と、
（６）第二筒状体２１の筒他端に筒一端を連通させ、かつ、筒他端を開放させると共に、この筒他端から供給タンクの前記装填に伴って第一接続部１の第一筒状体１１を受け入れる受け入れ筒状体２５とを備えている。
【００２７】
そして、供給タンクの前記装填に伴って、第一接続部１の第一プランジャ体１２と第二接続部２の第二プランジャ体２２とが当接し合って両プランジャ体１２、２２が共に付勢手段１４、２４の付勢に抗して移動されるようにしてある。
【００２８】
供給タンクを装填しない状態においては、第一接続部１の第一プランジャ体１２は付勢手段１４により閉弁する向きに付勢されることから、第一弁体１３によって第一弁孔１０は閉じられ、この第一接続部１を通じた液体の流出は生じることはない。
【００２９】
また、供給タンクを装填しない状態においては、第二接続部２の第二プランジャ体２２は付勢手段２４により閉弁する向きに付勢されることから、第二弁体２３によって第二弁孔２０は閉じられ、この第二接続部２を通じた液体の流出は生じることはない。
【００３０】
すなわち、供給タンクを装填しない限り、供給タンク内の液体の漏れ出しや、消費装置側に残存している液体の漏れ出しなどは生じることがない。
【００３１】
供給タンクを消費装置に装填すると、典型的には、消費装置に形成された供給タンクの納まる装填空間などに供給タンクを入れ込むと、先ず、第二接続部２の受け入れ筒状体２５内に第一接続部１の第一筒状体１１が入り込む。そして、この後、第一接続部１の第一プランジャ体１２と第二接続部２の第二プランジャ体２２とが受け入れ筒状体２５内で当接し合って両プランジャ体１２、２２共に付勢手段１４、２４の付勢に抗する向き、つまり、開弁する向きに移動される。この両プランジャ体１２、２２の移動によって、第一接続部１の第一弁孔１０を塞いでいた第一弁体１３がこの第一弁孔１０から離れ出すと共に、第二接続部２の第二弁孔２０を塞いでいた第二弁体２３がこの第二弁孔２０から離れ出し、両接続部１、２は連通し合わせられる。これにより、供給タンク内の液体が消費装置に供給される状態がワンタッチで作り出される。
【００３２】
装填されている供給タンクを消費装置から取り外すと、第二接続部２の受け入れ筒状体２５内から第一接続部１の第一筒状体１１が抜け出すと共に、第一接続部１の第一プランジャ体１２と第二接続部２の第二プランジャ体２２との当接が解かれ、両プランジャ体１２、２２共に付勢手段１４の付勢により閉弁方向に移動される。この両プランジャ体１２、２２の移動によって、第一接続部１の第一弁孔１０が再び第一弁体１３により塞がれると共に、第二接続部２の第二弁孔２０が再び第二弁体２３により塞がれ、接続を解かれた両接続部１、２からの液体の漏れ出しなどが確実に阻止される。
【００３３】
かかる接続構造によれば、第一接続部１と第二接続部２とが、供給タンクの装填に伴って上下から接続されるようにしている場合のみならず、第一接続部１と第二接続部２とが、供給タンクの装填に伴って水平方向から接続されるようにしている場合でも、この接続を解いた後の液体の漏れ出しなどを可及的に生じさせることがない。また、第二接続部２は、前記受け入れ筒状体２５を有していることから、第一接続部１と第二接続部２とを供給タンクの装填に伴って上下から接続されるようにしている場合であって、第二接続部２が下方に配される場合には、両接続部１、２の接続を解いた状態において接続されていた両接続部１、２間に残されていた液体を受け入れ筒状体２５によって外部にできる限り漏れ出させないように保持することができる。
【００３４】
図示の例にあっては、第一接続部１を構成する第一弁孔１０は、液体の流路ないしは貯留空間３を内方に形成する壁部に形成された円形の貫通孔として構成されている。
【００３５】
第一接続部１を構成する第一筒状体１１は、図示の例では、第一弁孔１０の穴径よりも内径を大きくした円筒状体として構成されている。そして、図示の例では、この第一筒状体１１の筒一端が第一弁孔１０を内方に位置させた状態で、前記壁部の外側部に一体に接合されている。第一筒状体１１の筒一端の内壁と第一弁孔１０の孔縁との間には、この第一筒状体１１の筒他端側を向いた段差面１１ａが形成されている。
【００３６】
また、第一プランジャ体１２は、図示の例では、一端部に小径頭部１２ａを、他端部に大径頭部１２ｂをそれぞれ備えると共に、この小径頭部１２ａの側を第一弁孔１０に挿入可能とした軸状体として構成されている。第一プランジャ体１２の大径頭部１２ｂには、この第一プランジャ体１２の移動方向に沿った貫通孔１２ｃが形成されており、開弁時にはこの貫通孔１２ｃにより液体の移動が確保できるようになっている。
【００３７】
小径頭部１２ａと第一プランジャ体１２の中間部１２ｄとの間には、後述する第一弁体１３の止着孔１３ａの径とほぼ等しい外径を備えた頸部１２ｅが形成されている。また、小径頭部１２ａは、その頂端１２ｇから顎部に向かうに連れて次第にこの小径頭部１２ａの外径を太める向きに傾斜したテーパー面１２ｆを側面外周に有している。
【００３８】
図示の例では、後述する第一弁体１３の止着孔１３ａにこの小径頭部１２ａを入れ込むことによって、前記テーパー面１２ｆにより止着孔１３ａが弾性的に次第に押し広げられ、小径頭部１２ａのこの第一弁体１３の止着孔１３ａの通り抜けが許容されると共に、この止着孔１３ａを小径頭部１２ａが通り抜け切った位置での第一弁体１３側の弾性復帰によって小径頭部１２ａの顎部と中間部１２ｄとの間において第一弁体１３の中央部を挟み付けて、この第一弁体１３を第一プランジャ体１２に止め付けるさせるようにしている。
【００３９】
図示の例ではまた、第一プランジャ体１２は、第一弁孔１０に一端側を挿し通すようにして、第一筒状体１１内に納められるようにしてある。かかる第一筒状体１１の筒他端は開放されており、この開放された筒他端から小径頭部１２ａの側を先にしてこの第一筒状体１１内に第一プランジャ体１２を入れ込ませ、この小径頭部１２ａを第一弁孔１０に挿入して前記壁部の内方に突き出させた後、この小径頭部１２ａの側に前記のように第一弁体１３を止め付けさせることで、第一プランジャ体１２が第一弁孔１０の孔軸方向に移動可能な状態で組み付けられるようになっている。
【００４０】
また、図示の例では、この組み付けにあたり、第一プランジャ体１２の大径頭部１２ｂの顎部にバネ一端を押し当てると共に、バネ他端を第一筒状体１１の内方に位置される前記段差面１１ａに押し当てさせるようにした圧縮コイルバネ１４ａが第一プランジャ体１２に巻装されるようになっており、このバネ１４ａによって第一プランジャ体１２は閉弁方向に常時付勢されるようになっている。すなわち、図示の例では、このバネ１４ａが付勢手段１４として機能するようになっている。
【００４１】
そして、図示の例では、供給タンクの装填に伴って第一接続部１の第一筒状体１１が第二接続部２の受け入れ筒状体２５内に入れ込まれると、この第一筒状体１１の筒他端からこの第一筒状体１１内に第二プランジャ体２２の後述する大径頭部１２ｂが入り込み、第一プランジャ体１２の大径頭部１２ｂを押圧するようになっており、これにより、第一プランジャ体１２が前記バネ１４ａの付勢に抗して移動して開弁がなされるようになっている。
【００４２】
また、図示の例にあっては、第一接続部１の第一弁体１３は、ベース１３ｂと、環状リップ１３ｃとを備えている。
【００４３】
ベース１３ｂは、中央部に第一プランジャ体１２の止着孔１３ａを備えている。また、第一弁孔１０よりも大きく、かつ、第一プランジャ体１２の移動方向にほぼ直交する向きの両面部を備えている。
【００４４】
一方、環状リップ１３ｃは、ベース１３ｂの一面部から突き出すように備えられると共に、突き出し端を第一弁孔１０の孔縁よりも外方に位置させて閉弁時に第一弁孔１０の孔縁に続く弁座面、すなわち、前記壁部における液体の流路ないしは貯留空間３に面するこの第一弁孔１０を巡る面に弾性的に圧接されるように構成されている。
【００４５】
また、環状リップ１３ｃは、その突き出し端に向かうに連れて、ベース１３ｂの中央部から離れ出すように、突き出されている。
【００４６】
また、ベース１３ｂは、第一弁孔１０の開弁時における流体の移動によって生じる圧力によって変形し難い厚肉状体として構成されており、一方、環状リップ１３ｃは、閉弁時に弁座面に弾性的に変形して密着し易い薄肉状体として構成されている。
【００４７】
かかる第一弁体１３は、ベース１３ｂの止着孔１３ａに、第一プランジャ体１２をその一端側から挿通することによって前記のように第一プランジャ体１２に備え付けられる。
【００４８】
第一プランジャ体１２が閉弁方向に移動されると、環状リップ１３ｃが第一弁孔１０の孔縁に続く弁座面に弾性的に圧接され、閉弁状態が作り出される。（図２）この閉弁時には、ベース１３ｂ自体は弁座面に接触しない、つまり、閉弁時には環状リップ１３ｃによってベース１３ｂと弁座面との間にクリアランスが作り出されることから、閉弁動作の繰り返しによって経時的にベース１３ｂに摩耗や損傷などを生じさせることがない。
【００４９】
また、環状リップ１３ｃは、その突き出し端に向かうに連れて、ベース１３ｂの中央部から離れ出すように、突き出されていることから、環状リップ１３ｃにおけるベース１３ｂの中央部側に向けられた面を弁座面に面的に接触させて閉弁をなすことができ、閉弁状態を安定的に維持できると共に、環状リップ１３ｃ自体の損耗なども生じ難い。さらに、弁座面に若干の凹凸がある場合であっても、環状リップ１３ｃの変形によって、こうした凹凸に関わらず、安定的なシールをなすことができる。
【００５０】
また、開弁時は、この開弁時の流体の移動によって生じる圧力によってベース１３ｂは変形し難いことから、この開弁状態も安定的に維持される。第一弁体１３自体も支障なく小型化することが可能となる。
【００５１】
図示の例にあっては、環状リップ１３ｃは、突き出し端に向かうに連れて次第に薄くなるようにしてある。
【００５２】
この図示の例のようにした場合、閉弁時において、環状リップ１３ｃをよりスムースに弾性変形し易くすることができる。
【００５３】
また、図示の例にあっては、ベース１３ｂの両面部にそれぞれ環状リップ１３ｃが備えられている。
【００５４】
この図示の例のようにした場合、弁操作部材の一端側への第一弁体１３の組み付けに方向性がなくなり、弁装置のアッセンブリーにあたっての労力の軽減を図ることができる。
【００５５】
また、図示の例にあっては、ベース１３ｂと環状リップ１３ｃとが一体的に成形されている。
【００５６】
この図示の例のようにした場合、第一弁体１３を容易かつ適切に作り出すことができる。典型的には、ゴム又はゴム状弾性を備えたプラスチックによって、ベース１３ｂと環状リップ１３ｃとを備えた第一弁体１３を一体に成形することが予定される。
【００５７】
ベース１３ｂは、剛性を備えた厚肉状体であれば、その外郭形状はいかなるものであってもよいが、図示の例にあっては、ベース１３ｂは、円盤状体として構成されている。そして、このベース１３ｂの中央部に円形の貫通穴が形成されており、この貫通穴が前記止着孔１３ａとして機能するようになっている。
【００５８】
一方、図示の例にあっては、第二接続部２を構成する第二弁孔２０は、液体の流路ないしは貯留空間３を内方に形成する壁部に形成された円形の貫通孔として構成されている。
【００５９】
第二接続部２を構成する第二筒状体２１は、図示の例では、第二弁孔２０の穴径よりも内径を大きくした円筒状体として構成されている。そして、図示の例では、この第二筒状体２１の筒一端が第二弁孔２０を内方に位置させた状態で、前記壁部の外側部に一体に接合されている。第二筒状体２１の筒一端の内壁と第二弁孔２０の孔縁との間には、この第二筒状体２１の筒他端側を向いた第一段差面２１ａが形成されている。
【００６０】
また、第二接続部２を構成する受け入れ筒状体２５は、図示の例では、第二筒状体２１の内外径よりも共に内外径を大きくした両端を開放させた円筒状体として構成されている。そして、図示の例では、かかる受け入れ筒状体２５の筒一端を第二筒状体２１の筒他端に一体に接合させるようにしてある。第二筒状体２１と受け入れ筒状体２５との接合部には、受け入れ筒状体２５の筒他端を向いた第二段差面２５ａが形成されている。そして、図示の例にあっては、前記供給タンクの装填に伴って、第一接続部１の第一筒状体１１は、その筒他端を、この第二段差面２５ａに突き当てる位置まで、受け入れ筒状体２５内に入れ込めるようになっている。（図２）
【００６１】
第二プランジャ体２２は、図示の例では、第一接続部１を構成する第一プランジャ体１２と同寸、同形のものとして構成されている。
【００６２】
すなわち、第二プランジャ体２２も、一端部に小径頭部１２ａを、他端部に大径頭部１２ｂをそれぞれ備えると共に、この小径頭部１２ａの側を第二弁孔２０に挿入可能とした軸状体として構成されている。
【００６３】
図示の例ではまた、第二プランジャ体２２は、第二弁孔２０に一端側を挿し通すようにして、第二筒状体２１内に納められるようにしてある。具体的には、第二筒状体２１の筒他端は開放されており、この開放された筒他端から小径頭部１２ａの側を先にしてこの第二筒状体２１内に第二プランジャ体２２を入れ込ませ、この小径頭部１２ａを第二弁孔２０に挿入して前記壁部の内方に突き出させた後、この小径頭部１２ａの側に後述するように第二弁体２３を止め付けさせることで、第二プランジャ体２２が第二弁孔２０の孔軸方向に移動可能な状態で組み付けられるようになっている。
【００６４】
このように第二筒状体２１内に納められた第二プランジャ体２２は、図示の例では、第二段差面２５ａより先に、大径頭部１２ｂの頂端１２ｇ側を突き出すようになっている。（図１）そして、図示の例にあっては、前記供給タンクの装填に伴って、第一接続部１の第一筒状体１１が、その筒他端を、この第二段差面２５ａに突き当てる位置まで、受け入れ筒状体２５内に入れ込まれることに伴って、第二プランジャ体２２の大径頭部１２ｂの頂端１２ｇ側が第一筒状体１１内に入り込んで第一プランジャ体１２の大径頭部１２ｂに突き当てられ、この突き当たりにより、両プランジャ体１２、２２共に開弁方向に移動されるようになっている。（図２）すなわち、図示の例では、この突き当たりにより、両プランジャ体１２、２２共に、第二段差面２５ａからの第二プランジャ体２２の突き出し寸法の約半分の寸法分、開弁方向に移動されるようになっている。
【００６５】
第二プランジャ体２２のその余の構成は、第一プランジャ体１２の構成と同一であるので、同一の構成部分については各図における第二プランジャ体２２に第一プランジャ体１２で用いた符号と同一の符号を付してその説明は省略する。
【００６６】
また、図示の例では、この組み付けにあたり、第二プランジャ体２２の大径頭部１２ｂの顎部にバネ一端を押し当てると共に、バネ他端を第二筒状体２１の内方に位置される前記段差面に押し当てさせるようにした圧縮コイルバネ２４ａが第二プランジャ体２２に巻装されるようになっており、このバネ２４ａによって第二プランジャ体２２は閉弁方向に常時付勢されるようになっている。すなわち、図示の例では、このバネ２４ａが付勢手段２４として機能するようになっている。
【００６７】
また、図示の例では、第二接続部２を構成する第二弁体２３は、第一接続部１の第一弁体１３と同寸、同形のものとして構成されており、ベース１３ｂと、環状リップ１３ｃとを備えている。
【００６８】
そして、かかる第二弁体２３は、閉弁時に第二弁孔２０の孔縁に続く弁座面、すなわち、前記壁部における液体の流路ないしは貯留空間３に面するこの第二弁孔１０を巡る面に、環状リップ１３ｃを弾性的に圧接させるように構成されている。
【００６９】
かかる第二弁体２３のその余の構成は、第一弁体１３の構成と同一であるので、同一の構成部分については各図における第二弁体２３に第一弁体１３で用いた符号と同一の符号を付してその説明は省略する。
【００７０】
また、図示の例にあっては、第一接続部１の第一筒状体１１の外周部に、受け入れ筒状体２５へのこの第一筒状体１１の入れ込み状態において、この受け入れ筒状体２５の内壁面に圧接されるシール部材１５が備え付けられている。
【００７１】
図示の例にあっては、第一接続部１を構成する第一筒状体１１の他端側の外周部に周回溝１１ｃが形成されていると共に、この周回溝１１ｃにゴム又はゴム状弾性を備えたプラスチックよりなるシール部材１５としてのシールリング１５ａが嵌め付けられている。かかるシールリング１５ａは、その外周部に周回突部１５ｂを備えており、前記周回溝１１ｃからこの周回突部１５ｂの先端側をやや突き出すようにして、この周回溝１１ｃに嵌め付けられている。そして、図示の例にあっては、第二接続部２の受け入れ筒状体２５への第一筒状体１１の入れ込みに伴ってこのシールリング１５ａの周回突部１５ｂが弾性的に変形しながら受け入れ筒状体２５の内壁面に圧接されるようになっている。
【００７２】
かかる構成によれば、第一接続部１と第二接続部２とを接続させた状態において、受け入れ筒状体２５の内壁面と第一筒状体１１の外壁面との間からの液体の漏れ出しを確実に阻止させることができる。
【００７３】
また、図示の例にあっては、第一接続部１の第一筒状体１１の筒他端であって、その外側部に、筒一端側に向けて次第に第一筒状体１１の外径を太めさせる向きに傾斜したテーパー部１１ｂが形成してあると共に、
第二接続部２の受け入れ筒状体２５の筒他端であって、その内側部に、筒一端側に向けて次第に受け入れ筒状体２５の内径を細めさせる向きに傾斜したテーパー部２５ｂが形成してある。
【００７４】
かかる構成によれば、供給タンクの装填に伴って両テーパー部１１ｂ、２５ｂを案内として、第二接続部２の受け入れ筒状体２５内に第一接続部１の第一筒状体１１をスムースに入れ込ませることができる。
【００７５】
また、図示の例にあっては、第一接続部１の第一プランジャ体１２の他端が、第一筒状体１１の筒他端より先に突き出さないようにしてある。
【００７６】
図示の例にあっては、第一接続部１を構成する第一プランジャ体１２の大径頭部１２ｂの頂端１２ｇが、第一筒状体１１の筒他端とほぼ同じレベルに位置されるようになっている。
【００７７】
かかる構成によれば、特に、第一接続部１を供給タンク側に設けた場合において、消費装置側から取り外した供給タンクの第一接続部１を構成する第一プランジャ体１２が予期せず開弁方向に押圧されるといった事態をできる限り生じさせないようにすることができる。
【００７８】
【発明の効果】
この発明にかかる接続構造によれば、消費装置と供給タンクとを分離させている状態においては、両者の接続箇所からの液体の漏れ出しを確実に阻止し、また、消費装置に供給タンクを装填させることに伴って両者の接続箇所を通じた液体の移動をワンタッチで適切に確保することができる。
【図面の簡単な説明】
【図１】接続構造の断面構成図
【図２】接続構造の断面構成図
【図３】接続構造の要部部品分解斜視図
【図４】接続構造の要部部品分解斜視図
【図５】従来例を示した断面構成図
【符号の説明】
１  第一接続部
１０  第一弁孔
１１  第一筒状体
１２  第一プランジャ体
１３  第一弁体
１４  付勢手段
２  第二接続部
２０  第二弁孔
２１  第二筒状体
２２  第二プランジャ体
２３  第二弁体
２４  付勢手段
２５  受け入れ筒状体
【図１】
2004338762.tif 000003
【図２】
2004338762.tif 000004
【図３】
2004338762.tif 000005
【図４】
2004338762.tif 000006
【図５】
2004338762.tif 000007